(57)【要約】【課題】  防ダニ効果、防カビ効果、消臭効果に優れており、昆虫を飼育しやすい環境を作ることができる昆虫用飼育床を提供することを課題とする。【解決手段】  昆虫を飼育するために飼育容器に使用する木質系飼育床のなかに、  粒径が所定の大きさに調整された、ヒノキ・ヒバ・スギから選ばれる１種又は２種以上の乾燥木材片を、ダニ防止片として用いていることを特徴とする。【選択図】        図１
0003121740.tif 000002
【実用新案登録請求の範囲】
【請求項１】
昆虫を飼育するために飼育容器に使用する木質系飼育床のなかに、
粒径が所定の大きさに調整された、ヒノキ・ヒバ・スギから選ばれる１種又は２種以上の乾燥木材片を、ダニ防止片として用いていることを特徴とする昆虫用飼育床。
【請求項２】
前記ダニ防止片は、ヒノキ・ヒバ・スギから選ばれる１種又は２種以上の木材を粉砕し、その粉砕片を振るいにかけて選別され、
粒径が２ｍｍから７ｍｍの大きさに調整されたものであることを特徴とする請求項１に記載の昆虫用飼育床。
【請求項３】
前記ダニ防止片は、ヒノキ・ヒバ・スギから選ばれる１種又は２種以上の木材を微粉化し、その微粉を直径が２ｍｍから７ｍｍ、長さが５ｍｍから１０ｍｍのペレットに固化したものであることを特徴とする請求項１に記載の昆虫用飼育床。
【請求項４】
前記木質系飼育床として、木質系飼育床材が前記ダニ防止片を用いてヒノキ・ヒバ・スギから選ばれる１種又は２種以上の木材によって構成されている請求項１ないし３のいずれか1項に記載の昆虫用飼育床。
【考案の詳細な説明】
【技術分野】
【０００１】
本考案は、例えばカブトムシやクワガタ等を飼育するために使用される昆虫用飼育床に関するものである。
【背景技術】
【０００２】
従来より、昆虫用飼育床として、キノコ類の菌床とクヌギの木粉とを混ぜ合わせた飼育床（昆虫マットとも言う）が一般的に用いられている。そして、カブトムシやクワガタ等の甲虫類は乾燥を苦手とするため、湿度が低くならないように飼育床に適度な水分補給を行わなければならない。
【考案の開示】
【考案が解決しようとする課題】
【０００３】
しかし、上記キノコ類の菌床とクヌギの木粉からなる飼育床は、常に水分を保持していることによってダニやカビが発生しやすい。更には昆虫の排泄物や分泌物等により臭気を発生するので、これらに起因する飼育環境の悪化により、飼育している昆虫が死滅してしまうこともある。よって、飼育床を頻繁に取り替える必要がある。また、飼育者である子供等が飼育床に触れたときに、ダニに刺されて痒みをおぼえたり熱を出す等、人的被害が少なくない。
【０００４】
また、ダニを防除するための農業用または家庭用の殺ダニ剤や、カビ発生を防ぐ殺菌剤等を飼育床に用いると、飼育昆虫に悪影響を及ぼすおそれがある。
【０００５】
本考案は、防ダニ効果、防カビ効果、消臭効果に優れており、昆虫を飼育しやすい環境を作ることができる昆虫用飼育床を提供することを課題とする。
【課題を解決するための手段・考案の効果】
【０００６】
上記課題を解決するために、本考案の昆虫用飼育床は、
昆虫を飼育するために飼育容器に使用する木質系飼育床のなかに、
粒径が所定の大きさに調整された、ヒノキ・ヒバ・スギから選ばれる１種又は２種以上の乾燥木材片を、ダニ防止片として用いていることを特徴とする。
【０００７】
上記考案によると、所定の大きさに調整されたヒノキ・ヒバ・スギの乾燥木材片を、ダニ防止片として一般的なクヌギの木粉等からなる飼育床に混合して使用することにより、ヒノキ・ヒバ・スギの香り成分が作用し、昆虫についたダニを駆除することができる。そして、一般の飼育床で発生しやすいカビを防ぎ、臭気を発生するカビを防ぐことによる防臭効果もあり、飼育容器内を清潔に保つことができる。しかも、天然素材からなるため、化学薬品等を使用した場合とは異なり、昆虫に悪影響を及ぼすことなく飼育することができる。
【０００８】
ヒノキ・ヒバ・スギの香り成分に含まれる植物由来の揮発性物質のことを、フィトンチッドという。フィトンチッドには樹木自身を護る働きがあり、他の植物への成長阻害作用、昆虫や動物に葉や幹を食べられないための摂食阻害作用や、昆虫や微生物を忌避・誘因したり、病原菌に感染しないように殺虫・殺菌を行ったりすることが知られている。
【０００９】
このフィトンチッドの一種であるヒノキチオール成分を含むヒバ・ヒノキを、所定の大きさに調整し、ダニ防止片として飼育床に混合して使用すると、フィトンチッドの昆虫忌避効果や殺虫効果が作用してダニの繁殖を抑制する。また、フィトンチッドの作用により、カビを生えにくくする滅菌効果、あるいは臭気を吸着する等の防臭・消臭効果の機能性を有する昆虫用飼育床となる。
【００１０】
また、ダニ防止片の香り成分であるフィトンチッドには、人間の自律神経に作用して心や気持ちを安定させストレスを緩和する働きや、リラックス効果、更には血圧を低下させる効果を有することが知られており、昆虫を飼育する人間にも有効に作用している。また、ダニやカビは人間にとってもアレルギーの原因となるため、この防ダニ効果、防カビ効果は人間にとっても良い飼育環境を与える。
【００１１】
上記考案によればダニ防止片は、ヒノキ・ヒバ・スギから選ばれる１種又は２種以上の木材を粉砕し、その粉砕片を振るいにかけて選別され、
粒径が２ｍｍから７ｍｍの大きさに調整されたものであることを特徴とする。振るいにかけて異物を取り除き、粒径を２ｍｍから７ｍｍの大きさに調整し目を揃えることにより、木質系飼育床に混合しやすくなり、またヒノキ・ヒバ・スギの香り成分が長持ちして、より効果的にフィトンチッドの効果を発揮させることができる。更には、適度に水分を保つことができ、また通気性の良い昆虫用飼育床を得ることができる。
【００１２】
また、上記考案によればダニ防止片は、ヒノキ・ヒバ・スギから選ばれる１種又は２種以上の木材を微粉化し、その微粉を直径が２ｍｍから７ｍｍ、長さが５ｍｍから１０ｍｍのペレットに固化したものであることを特徴とする。カブトムシ等の成虫は、飼育床に潜って寝る。ダニ防止片をペレット状に固化して目を粗くして使用することにより通気性が良くなり、カブトムシ等の成虫が飼育床に潜った際に、酸欠状態になることを防ぐことができる。そして、直径が２ｍｍから７ｍｍ、長さが５ｍｍから１０ｍｍの大きさに調整されていることにより、クッション性が大きく、飼育中の昆虫が傷つきにくい飼育床を得ることができる。
【００１３】
また、上記考案によれば木質系飼育床として、木質系飼育床材が前記ダニ防止片を用いてヒノキ・ヒバ・スギから選ばれる１種又は２種以上の木材によって構成されているとすることもできる。
【００１４】
使用される木質系飼育床の種類は、昆虫の飼育に支障がなければ特に限定しないが、例えば、クヌギ・ナラ・ブナ等の木粉・木粒が好んで使われる。この木質系飼育床としてダニ防止片を直接用いても良く、昆虫を飼育するための木質系飼育床材がヒノキ・ヒバ・スギから選ばれる１種又は２種以上の木材によって構成されることになる。
この場合は、乾燥されたダニ防止片が水などによって湿潤状態で使用されるため、１片毎のダニ防止片の効果の持続性が水によって劣るが、全体量が多くなるので、ダニやカビ防止の効果を期待した程度に持続させることができた。また、ダニ防止片のみで構成された飼育床を昆虫に振りかけながら飼育すると防ダニ効果が増して、昆虫に付いたダニを除去することができた。
【００１５】
本発明の昆虫用飼育床が適用される昆虫としては、カブトムシやクワガタムシ等の甲虫類が挙げられる。また、スズムシ、キリギリス、コオロギ等も採用でき、飼育容器内に昆虫用飼育床を敷いておくと、好適な生育床となる。
【考案を実施するための最良の形態】
【００１６】
以下、本考案の実施の形態を、図面を用いて説明する。図１は、本考案に係る昆虫用飼育床を飼育容器に入れて、クワガタムシ（成虫）を飼育している状態を示す説明図である。図２は本考案に係る昆虫用飼育床の製造工程の一例を示す工程図である。
【００１７】
まず、図２の製造工程１に示すように、ヒノキ、ヒバ、スギを乾燥する。乾燥後、ヒノキ、ヒバ、スギを所定の粉砕ミル、ミキサー等の粉砕装置にかけて粉砕する。このヒノキ、ヒバ、スギからなる粉末を、２ｍｍから７ｍｍ程度のメッシュの振るい装置、フィルター装置等の選別装置にかけて、所定の大きさの粉末に選別する。つまり、目の粗い大きな粒子は振るい装置等の選別装置で捕獲されて異物として取り除かれ、粉末の目を揃える。こうすることによって粒径が２ｍｍから７ｍｍの粉末が得られる。なお、粉砕された粉末が２ｍｍから７ｍｍ程度の大きさであれば、メッシュ装置にかけずにそのまま使用してもよい。そして、この粉体の所定重量が袋詰されて、商品として出荷される。
【００１８】
また、図２の製造工程２に示すように、粉砕されて微粉化したヒノキ、ヒバ、スギからなる粉末を、更にロータリードライヤー等の乾燥装置にかけて乾燥し、ペレタイザ等のペレット製造装置により直径が２ｍｍから７ｍｍ、長さが５ｍｍから１０ｍｍのペレット状に固化した粒体とすることができる。そして、冷却後、この粒体の所定重量が袋詰されて、商品として出荷される。
【００１９】
次に、本実施形態により昆虫を飼育する態様を以下に説明する。
図１に示すように、飼育容器１は、透明な合成樹脂でつくられた容器本体２と、上部開口部に蓋部３を備えており、蓋部３には通気可能な通気孔４が設けてある。この飼育容器１の底部には、飼育容器１の２〜３割の深さを目安に、木質系飼育床９とダニ防止片１０とが混合された昆虫用飼育床５が敷き詰められている。使用前に昆虫用飼育床５を霧吹き等で軽く湿らせておく必要がある。
【００２０】
昆虫用飼育床５が敷き詰められた飼育容器１に皿木６を置き、餌となる昆虫ゼリー７とともにクワガタムシ８を入れて飼育する。昆虫ゼリー７だけを飼育容器１に入れると昆虫ゼリーが飛び散って飼育容器１や昆虫用飼育床５が汚れてしまうため、皿木６を使用するのが望ましい。飼育する際、昆虫用飼育床５が乾かないように、霧吹き等で水分補給をする。なお、朽ち木やのぼり木を入れておくと、クワガタムシ８の転倒防止材となるとともに、朽ち木やのぼり木を２４時間水につけた後マットの中にもぐらせて使用することでマットの湿気を保つ効果がある。
【００２１】
上記飼育において、最初にダニが付いていたクワガタムシ８は、ダニ防止片１０による昆虫忌避効果が効果的に作用して、７２時間後には体に付いていたダニの９０％以上を除去することができ、更に体に残っている数匹のダニは動きが鈍くなっていた。
【００２２】
更に、ダニ防止片１０による滅菌作用によりカビも発生せず、そして防臭効果によりほとんど無臭に近い状態で飼育ができた。また、飼育したクワガタムシ８の生体には全く影響はなかった。
【図面の簡単な説明】
【００２３】
【図１】本考案の昆虫用飼育床を使用して昆虫を飼育する状態を示す説明図。
【図２】本考案に係る昆虫用飼育床の製造工程の一例を示す工程図。
【符号の説明】
【００２４】
１    飼育容器
２    容器本体
３    蓋部
４    通気孔
５    昆虫用飼育床
６    皿木
７    昆虫ゼリー（餌）
８    クワガタムシ
９    木質系飼育床
１０  ダニ防止片
【図１】
0003121740.tif 000003
【図２】
0003121740.tif 000004